(57)【特許請求の範囲】
【請求項１】
少なくとも１つの物（１０）又は宝石片又は時計を包装するための折り畳み箱（１）であって、
前記箱（１）は、折り曲げ可能な素材片（２）を有し、
この素材片（２）は、長手方向（Ｄ）に延びる少なくとも１つの包装帯（３）からなり、かつ、
ベース面（Ｐ）における平坦な折り曲げられていない状態と、折り曲げられた状態との間で変形することができ、
ベース（３０）の両端部に、ベース（３０）に対して角度を変えるように変形することができる２つのフラップ（３１、３２）を有し、
前記折り曲げ可能な素材片（２）は、さらに、
ベース面（Ｐ）に平行な平坦で折り畳まれた状態と、安定な折り畳まれていない状態との間で変形することができる単一片の折り畳み可能な構造（４）を有し、
前記折り畳み可能な構造（４）は、前記ベース（３０）に恒久的な形態で固定されるか又は前記ベース（３０）を形成しているベース表面（４０）と、少なくとも２つの支持面（５１、５２）とを有し、この支持面（５１、５２）は、それぞれ前記折り畳み可能な構造（４）の前記折り畳まれていない状態において前記フラップ（３１、３２）の１つを受けて支持するように構成され、
前記折り畳み可能な構造（４）は、折り目（４６、４７）を有し、前記平坦で折り畳まれた第１の状態と前記安定な折り畳まれていない状態との間を、前記長手方向（Ｄ）に対して傾斜している前記折り目の１つである折りクリース（４６）で折り曲げ可能に変形することができ、
前記折りクリース（４６）は、前記ベース表面（４０）の縁を形成し、
前記折り畳み可能な構造（４）に設けられる２つの対向する面は、それぞれ前記折り畳み可能な構造（４）が前記安定な折り畳まれていない状態にある場合に当該面の内側の面において隆起しており、かつ前記物（１０）を受けるためのクロスメンバー（８）を受けるように形成された少なくとも１つのクロス支持体（９）を有し、
前記クロスメンバー（８）は、前記クロス支持体（９）を備えた当該面の内側空間の距離と等しい長さを有し、これによって、前記安定な折り畳まれていない状態における前記折り畳み可能な構造（４）の保持が強化され、そして、
隆起している前記クロス支持体（９）は、前記折り畳み可能な構造（４）が折り畳まれた状態では、互いに重ならないこと
を特徴とする折り畳み箱。
【請求項２】
前記折り畳み可能な構造（４）は、偶数の数のビジュアル面（５３、５０）を有し、
これらビジュアル面（５３、５０）は、前記支持面（５１、５２）と隣接し、前記支持面（５１、５２）と交差し、かつ、
前記折り畳み可能な構造（４）の折り畳まれていない状態において前記支持面（５１、５２）とともに、多角形の角柱を形成し、かつ、
前記折り畳み可能な構造（４）の前記平坦な折り畳まれた状態において、前記支持面（５１、５２）とともに、平行な２つの高さを有するように折り畳まれる閉じた帯を形成している
ことを特徴とする請求項１に記載の折り畳み箱（１）。
【請求項３】
折り畳み箱（１）の前記安定な折り畳まれていない状態において折り畳み箱（１）の安定性を確実にするために、
前記折り畳み可能な構造（４）は、複数の多角形の区画（４０、４１、４２、４３）を有し、そのそれぞれは、前記支持面（５１、５２）の１つ又は前記ビジュアル面（５３、５４）の１つに隣接しており、
前記多角形の区画は、前記安定な折り畳まれていない状態において折り目（４６、４７）又は縁（４８、４９）のいずれかによって、互いに縁どうしが接合され、構成材料の厚みによって互いがロックされ、
これによって、前記多角形の角柱の断面に対応する多角形の表面を形成し、
さらに、前記多角形の区画の１つは前記ベース表面（４０）であり、
前記折り目の１つは折りクリース（４６）である
ことを特徴とする請求項２に記載の折り畳み箱（１）。
【請求項４】
前記多角形の角柱は、正方形の断面を有し、
前記多角形の区画（４０、４１、４２、４３）は、断面が小さな二等辺直角三角形である互いに同一な角柱であり、
これらそれぞれの斜辺は、折り畳み可能な構造（４）の対応する面（５０、５１、５２、５３）の接合折り目（５５、５６、５７、５８）に対応している
ことを特徴とする請求項３に記載の折り畳み箱（１）。
【請求項５】
前記多角形の区画（４０、４１、４２、４３）の対は、前記折り畳み可能な構造（４）の前記安定な折り畳まれていない状態において折り目（４６、４７）によって接続されており、
断面が前記小さな三角形の２倍の面積を有する大きな二等辺直角三角形である角柱を形成し、
これによって形成された２つの大きな三角形は、前記折り畳まれていない状態において、２つの縁（４８、４９）において互いに隣接している
ことを特徴とする請求項４に記載の折り畳み箱（１）。
【請求項６】
前記折り畳み可能な構造（４）は、前記ベース面（Ｐ）に平行な前記平坦な折り畳まれた状態において、前記長手方向（Ｄ）に平行な方向に延び、
前記折りクリース（４６）は、前記長手方向（Ｄ）と４５°の角度をなしている
ことを特徴とする請求項１に記載の箱（１）。
【請求項７】
前記多角形の角柱は、直方体の基礎構造を形成し、
前記角柱の底は、前記ベース（３０）によって形成され、前記包装帯（３）に備えられたフラップ（３３）によってカバーが形成されている
ことを特徴とする請求項２に記載の折り畳み箱（１）。
【請求項８】
前記包装帯（３）は、前記長手方向（Ｄ）における両端に２つの閉じフラップ（３１、３４）を有し、これらは、
前記包装帯（３）が前記安定な折り畳まれていない状態にある前記折り畳み可能な構造（４）を包囲するような前記折り曲げられた状態にある場合に、互いが重ね合わされるように形成し、
これらの閉じフラップ（３１、３４）は、互いが相補的なロック手段（６１、６２）を有し、
これによって、前記包装帯（３）が、前記折り畳み可能な構造（４）のまわりを巻いて特定位置に保持されることを確実にする
ことを特徴とする請求項１に記載の折り畳み箱（１）。
【請求項９】
前記折り畳み可能な構造（４）に備えられる面は、前記折り畳み可能な構造（４）の前記折り畳まれていない状態において、
前記包装帯（３）に備えられたフラップ（３３）の支持体としてはたらくように構成する一平面上の縁面（４００）を形成している
ことを特徴とする請求項１に記載の折り畳み箱（１）。
【請求項１０】
前記少なくとも１つのクロス支持体（９）は、
前記クロス支持体（９）を備えた面に対向する面に固定されたフレキシブルアーム（９５）の一端（９８）と連係するように構成するストップ面（９４）を有し、
これによって、前記折り畳み可能な構造（４）の前記安定な折り畳まれていない状態における前記対向する面の間の支え位置で前記フレキシブルアームが保持され、
これらの面が互いに接近することを防いでいる
ことを特徴とする請求項１に記載の折り畳み箱（１）。
【請求項１１】
前記折り畳み可能な構造（４）に備えられた２つの対向する面は、
それぞれ前記折り畳み可能な構造（４）が前記安定な折り畳まれていない状態にあるときにアライメント合わせされており、
クロスメンバーを収容するための少なくとも１つの切り込み部分（９９）を有し、この切り込み部分（９９）は、物（１０）を受けるためのクロスメンバー（８）を受けるように構成され、
このクロスメンバー（８）は、クロスメンバーを収容する切り込み部分（９９）を備えた前記２つの面の外側空間の距離以上の長さを有する
ことを特徴とする請求項１に記載の折り畳み箱（１）。
【請求項１２】
前記互いが相補的なロック手段（６１、６２）は、前記閉じフラップ（３１、３４）を形成する材料の厚みによって、ともに保持され、
一方は、ほぞ穴状メンバー（６３）ないし切り込み部分を有し、
他方は、ほぞ穴（６３）の輪郭と相補的な輪郭を有するほぞ状メンバー（６４）を有する
ことを特徴とする請求項８に記載の折り畳み箱（１）。
【請求項１３】
前記互いが相補的なロック手段（６１、６２）は、相補的な磁極片（６６）との間に磁力がはたらくように構成された少なくとも１つの磁極片（６５）を有し、
前記磁極片（６５）及び前記相補的な磁極片（６６）の少なくとも一方は、磁性材によって形成されている
ことを特徴とする請求項８に記載の折り畳み箱（１）。
【請求項１４】
前記包装帯（３）及び前記単一片の折り畳み可能な構造（４）は、厚紙で作られており、
前記折り目（４６、４７）には、クリース加工が施されている
ことを特徴とする請求項１に記載の折り畳み箱（１）。
【発明の詳細な説明】
【技術分野】
【０００１】
本発明は、少なくとも１つの物又は宝石片又は時計を包装するための折り畳み箱に関し、この折り畳み箱は、折り曲げ可能な素材片を有し、これは、長手方向で延びる少なくとも１つの包装帯を有し、かつ、ベース平面における平坦な折り曲げられていない状態と折り曲げられた状態の間で変形することができ、この折り畳み箱は、ベースの別々の２つの側に、ベースに対する角度を変えるように変形することができる２つのフラップを有する。
【０００２】
本発明は、物を包装する分野に関し、より詳細には、箱の分野、あるいは時計又は宝石片の輸送又は格納のための包装体の分野に関する。
【背景技術】
【０００３】
物の包装、特に、宝石片又は時計の包装には、物の保護についての適切な前提知識が必要である。
【０００４】
物の包装のために梱包材が通常使用されている。しかし、梱包材は一般に汎用ではなく、また、物を適切に保護しない。
【０００５】
ケースないし箱の壁から物を遠ざけて、箱が被るあらゆるショックや力から物を保護することが望ましい。
【０００６】
具体的には、実質的に円環状の宝石片又は時計の場合では、物が接するように配置されるクッションを使用することが知られている。しかし、空洞の中に入れられることによって、又はクッションの別々の側に梱包材を配置することによって、クッション自身を定位置に保持しなければならない。
【０００７】
優れた包装は、比較的複雑であり、いくつかの構成部分を有し、保護される物のコストに対して高価であることがある。
【０００８】
このように、時計又は宝石片の最適な保護を提供するために考えられる包装を、適度な製造コストで作成することは、時計／宝石メーカーの永久の関心事である。特に、このようなケースないし箱は物の寿命を通して保存されるという事情がある。したがって、伝統的な見栄えの形態を維持しながら、中の物の価値にふさわしい単純で洗練された包装を提案する必要がある。
【０００９】
二重包装では、物が最初の箱に格納され、次に別の箱に格納され、これは、当該保護の問題に対して良好な解決策を与える。物は適切に保護されるが、二重包装は高価であり、また、ユーザーは物にすぐアクセスすることができない。
【００１０】
ヒンジ付きカバーを備えたケースの使用も、とても高価な手法である。
【００１１】
厚紙タイプの包装が存在する。これは、十分に厚い材料を選択することによって保護の要求に対応しようとしている。厚紙からなる包装は、手頃なコストであり、任意の種類の装飾を施すことができるという利点も有する。組み立て済みの厚紙箱は、大きな格納空間を必要とする。折り畳み可能な厚紙包装は、平坦に格納できるという利点を有し、これによって、組み立て済みの厚紙包装と比べて、占有空間を節約することができ、なおかつ、組み立て労力が必要ないので低コストである。しかし、フラップ又はタブを使用しないかぎり、折り畳まれていない状態に包装を維持することが難しいことが多い。このようなフラップ又はタブを使用する手法は、魅力的ではなく、幾らかの操作の後に時間が経過するにしたがって劣化する。あるいは、折り目や二重の壁等の収容に利用可能な内部体積を減らさずに、折り畳まれていない状態に包装を維持することが難しいことが多い。この内部体積は、折り畳みや組み立ての運動によって必要とされるものである。
【００１２】
EDITH HERMAN名義のフランス特許出願第２６７８５８３号公報では、単一の素材片から形成され、正方形のベースのまわりに折り畳みシステムを備えた陳列ケースの包装を記載している。しかし、この単純なケースは、内部体積の一部を占めるガセットを有している。
【００１３】
KRAFFT GOEBEL名義の欧州特許出願第１２２８９７１号公報は、耐衝撃性ケースを開示しており、これにおいて、保護される商品は、特定の弾性を有するＺ形のウィングフラップによって保持される。
【００１４】
HRICOVINI EVA名義の欧州特許第０４８９６０６Ｂ１号公報では、部分的に開く四面体によって閉じられる一連の厚紙箱を記載しており、これにおいて、内容物を入れるために開口の上に折り曲げられる。
【００１５】
RICHEZ NICOLE名義のフランス特許出願第２６６５８８１Ａ１号公報では、宝石箱又はケースのための通常の構成である２つの独立部品の形態の折り曲げられる陳列ケースと連係する折り曲げられる包装を記載している。MADWED MARK名義の米国特許第５８７３４５７号公報は、箱を形成するヒンジ付きカバーを備える場合に、２つの反対側の開口に挿入されたクロスメンバーのまわりに、腕時計のような円環状の物の保持を開示しており、ここにおいて、当該クロスメンバーが、腕時計をその箱に固定するか又はその箱から取り出すように、引き出しのように動作する。
【００１６】
JACK HERZOG名義の米国特許出願第２００６０１９１８０１号公報では、同様な手法のヒンジ付きのカバーを有するケースを開示しており、ここでは腕時計を受ける空洞の区画を有し、腕時計は、弾性体の通しピンによってケースに固定されることもあり固定されないこともある。
【００１７】
既知の折り畳める箱は、すべてそれら自身の上に畳まれるという同じ傾向を持っており、不自然なベース又はクッション材を採用せずに直角な幾何学的構成を維持することができない。
【００１８】
すなわち、突き出る要素や脆弱な要素のない上品で魅力的な外観を持ちながら、平坦に格納することができ、時計等を良好に保護することができるような低コストな箱はほとんど存在しない。
【発明の概要】
【発明が解決しようとする課題】
【００１９】
本発明は、既知の技術の課題を克服し、できるだけ少ない構成要素しか必要としない経済的な包装において、質が維持されることを確実にすることを提案する。より具体的には、本発明は、実質的に円環状の貴重な物を保持するために考えられたものであり、すべてのタイプの物に対して、非常に用途が広く、組み立てることが容易であり、そして、高品質な包装に適しているものである。
【課題を解決するための手段】
【００２０】
したがって、本発明は、少なくとも１つの物又は宝石片又は時計を包装するための折り畳み箱に関し、前記箱は、折り曲げ可能な素材片を有し、この素材片は、長手方向に延びる少なくとも１つの包装帯を有し、かつベース面における平坦な折り曲げられていない状態と、及び折り曲げられた状態との間で変形することができ、ベースの別々の２つの側に、ベースに対する角度を変えるように変形することができる２つのフラップを有し、前記折り曲げ可能な素材片は、さらに、ベース面に平行な平坦で折り畳まれた状態と、及び安定な折り畳まれていない状態との間で変形することができる単一片の折り畳み可能な構造を有し、前記折り畳み可能な構造は、前記ベースに恒久的な形態で固定されるか又は前記ベースを形成しているベース面と、及び少なくとも２つの支持面とを有し、この支持面はそれぞれ、前記折り畳み可能な構造の前記折り畳まれていない状態において前記フラップの１つを受けて支持するように構成し、前記折り畳み可能な構造は、前記平坦で折り畳まれた第１の状態と前記安定な折り畳まれていない状態との間を、前記長手方向に対して傾斜している折りクリースで折り曲げ可能なように変形することができ、前記折りクリースは、前記ベース面の縁を形成し、前記折り畳み可能な構造に設けられる２つの対向する面はそれぞれ、前記折り畳み可能な構造が前記安定な折り畳まれていない状態にある場合に当該面の内側の面において隆起しており、かつ前記物を受けるためのクロスメンバーを受けるように構成する少なくとも１つのクロス支持体を有し、前記クロスメンバーは、前記クロス支持体を備えた当該面の内側空間の距離と等しい長さを有し、これによって、前記安定な折り畳まれていない状態における前記折り畳み可能な構造の保持が強化される。
【００２１】
本発明の特徴の１つによれば、前記折り畳み可能な構造は、偶数の数のビジュアル面を有し、これらのビジュアル面は、前記支持面と隣接し、前記支持面と交差し、かつ前記折り畳み可能な構造の折り畳まれていない状態において前記支持面とともに、多角形の角柱を形成し、かつ前記折り畳み可能な構造の前記平坦な折り畳まれた状態において前記支持面とともに、平行な２つの高さを有するように折り畳まれる閉じた帯を形成する。
【００２２】
本発明の特徴の１つによれば、  当該折り畳み箱の前記安定な折り畳まれていない状態において当該折り畳み箱の安定性を確実にするために、前記折り畳み可能な構造は、複数の多角形の区画を有し、そのそれぞれは、前記支持面の１つ又は前記ビジュアル面の１つに隣接しており、前記多角形の区画は、前記安定な折り畳まれていない状態において折り目又は縁のいずれかによって、互いの縁どうしが接合され、構成材料の厚みによって互いがロックされ、これによって、ともに前記多角形の角柱の断面に対応する多角形の表面を形成し、さらに前記多角形の区画の１つは前記ベース面であり、前記折り目の１つは折りクリースである。
【００２３】
本発明の特徴の１つによれば、  前記多角形の角柱は、正方形の断面を有し、前記多角形の区画は、断面が小さな二等辺直角三角形である互いに同一な角柱であり、これらそれぞれの斜辺は、折り畳み可能な構造の対応する面の接合折り目に対応する。
【００２４】
本発明の特徴の１つによれば、前記多角形の区画の対は、前記折り畳み可能な構造の前記安定な折り畳まれていない状態において折り目によって接続されており、断面が前記小さな三角形の２倍の面積を有する大きな二等辺直角三角形である角柱を形成し、これによって形成された２つの大きな三角形は、前記折り畳まれていない状態において２つの縁において互いに隣接している。
【００２５】
本発明の特徴の１つによれば、前記折り畳み可能な構造は、前記ベース面に平行な前記平坦な折り畳まれた状態において前記長手方向に平行な方向に延び、前記折りクリースは、前記長手方向と４５°の角度をなしている。
【００２６】
本発明の特徴の１つによれば、前記多角形の角柱は、直方体の基礎構造を形成し、前記角柱のベースは、前記ベースによって形成され、前記包装帯に備えられるフラップによってカバーが形成される。
【００２７】
本発明の特徴の１つによれば、前記包装帯は、前記長手方向における両端に２つの閉じフラップを有し、これらは、前記包装帯が前記安定な折り畳まれていない状態にある前記折り畳み可能な構造を包囲するような前記折り曲げられた状態にある場合に、互いが重ね合わされるように構成され、これらの閉じフラップは、互いが相補的なロック手段を有し、これによって、前記包装帯が、前記折り畳み可能な構造のまわりを巻いて特定位置に保持されることを確実にする。
【００２８】
本発明の特徴の１つによれば、前記少なくとも１つのクロス支持体は、前記クロス支持体を備えた面に対向する面に固定されたフレキシブルアームの一端と連係するように構成するストップ面を有し、これによって、前記折り畳み可能な構造の前記安定な折り畳まれていない状態における前記対向する面の間の支え位置で前記フレキシブルアームが保持され、これらの面が互いに接近することを防ぐ。
【００２９】
本発明の特徴の１つによれば、前記包装帯及び前記単一片の折り畳み可能な構造は、厚紙で作られており、前記折り目には、クリース加工が施される。
【００３０】
添付した図面を参照しながら以下の詳細な説明を読むことで、本発明の他の特徴及び利点を理解できるであろう。
【図面の簡単な説明】
【００３１】
【図１】本発明に係る箱の概略斜視図を示し、この箱は、実質的に平坦な折り曲げられていない状態において示されている包装帯を有しており、安定な折り畳まれていない状態にある折り畳み可能な構造のまわりに巻きつけられようとしており、この箱は、この場合は腕時計である時計を保持するクロスメンバーを有している。
【図２】完全に折り曲げられ閉じられた図１の箱の概略斜視図を示しており、包装帯は、折り曲げられた状態で示されており、折り畳み可能な構造の周囲全体に巻き付いており、端フラップの一方が他方の上になるように保持され固定されている。
【図３】平坦な折り曲げられていない状態における包装帯の概略的な平面図を示す。
【図４】折り畳み可能な構造を作るための素材片の変形例の概略的な平面図を示す。
【図５】図４を上視図で示す。
【図６】自身に接合して閉じた帯を形成する折り畳み可能な構造についての概略的な平面図を示しており、折り曲げられ平坦になり２つの実質的に平行な高さを占めているように示されている。
【図７】対応する上視図である。
【図８】対応する下視図である。
【図９】組み立てられ格納位置にある折り畳み箱についての概略的な平面図を示し、当該折り畳み可能な構造が、折り曲げられていない包装帯の上で、折り畳まれ接合されており平坦になっている。
【図１０】対応する上視図である。
【図１１】組み立てられた箱の概略上視図を示しており、折り畳み可能な構造は、包装帯に備えられるベースの上にて安定な折り畳まれていない状態で完全に折り畳みが解除されており、包装帯は、図１に示された折り曲げられた状態の以前の折り曲げられていない状態で示されている。
【図１２】折り畳み可能な構造に備えられる面に平行な位置から見た概略図を示しており、図９及び図１１に示された状態の間に行われる当該構造を配置するステップを示している。
【図１３】当該面に平行な方向からの、対応する上視図である。
【図１４】対応する端及び側面図である。
【図１５】当該折り畳み可能な構造が折り曲げられていない状態にある時の内側から見た当該折り畳み可能な構造の面の１つについての概略的な平面図であり、当該面は、内側へ突き出るクロス支持体を備え、これにおいて、クロスメンバーを受ける表面は、角度位置を指標付けするための突起を有する。図１５Ａは、クロスメンバーを受けるための連続面を有するクロス支持体の変形例を示す。
【図１６】クロス支持体の一変形例を示しており、クロス支持体は、当該面の厚さに切断された部分である。
【図１７】一変形例における図１１の平面Ａ−Ａに沿った断面に沿った概略部分断面図であり、図１１で一点鎖線で示されたフレキシブルアームが、２つの対向する面の１つに内側で固定されている。
【図１８】図１７と同様な図であり、直線状のフレキシブルアームが固定されている面に対向する面に設けられたクロス支持体の下にある支え位置にあるフレキシブルアームを示す。
【図１９】図９と同様な形態で、図４の素材片から作られた折り畳み可能な構造の変形例を部分的に示す。
【図２０】返される以前の端図である。
【図２１】返された位置にある図である。
【図２２】図２１に対応する上視図である。
【図２３】図２１に対応する下視図である。
【図２４】閉じた箱の図を示す。
【図２５】図９と同様な形態で一変形例を示し、平坦な状態の折り畳み可能な構造が、包装帯の向きに垂直な方向に延びている。
【図２６】図２６及び図２７は、変形例の概略斜視図を示し、折り畳まれていない状態にある折り畳み可能な構造が、六角形の断面を有する角柱である。図２６は、包装帯が折り曲げられていない状態を示す図である。
【図２７】折り畳まれていない折り畳み可能な構造のまわりで包装帯が折り曲げられている斜視図である。
【図２８】図２６及び図２７に対応する平坦な折り曲げ可能な素材片についての概略部分的な平面図を示す。
【図２９】クロスメンバーを形成するための平坦な素材片についての概略的な平面図を示す。
【図３０】図２９の素材片を巻いた状態を示す斜視図である。
【発明を実施するための形態】
【００３２】
本発明は、物の包装の分野に関し、より詳細には、箱の分野、特に、測時機器又は宝石の分野用の箱に関する。また、物の輸送や収納のための包装に関し、特に、時計又は宝石片のためのものに関する。
【００３３】
以下において、「箱」は、これらの物の販売、取り扱い又は格納を意図したいずれの包装をも意味するように使用される。
【００３４】
本発明は、より詳細には、物１０、特に、宝石片又は時計に関する。これらの物１０は、様々な幾何学的構成を有することがあり、支持体に固定されることもあり、又はチャンバ内に閉じ込められていることもあり、あるいは、本発明の特定な用途においては、「円環状」の物、すなわち、様々な幾何学的構成を有するもののための閉じた状態において、輪ないし円環を形成し、支持体のまわりで嵌ったり支持体のまわりで閉じられる物であることもある。より具体的には、本発明は、物１０に適用可能であり、例えば、腕時計、又は腕輪、又は指輪である（これらに限定されない）。これらの物は、以下において、用語「物１０」として一般に呼ぶ。
【００３５】
したがって、本発明は、少なくとも１つの物１０、あるいは宝石片、時計、腕時計、腕輪、指輪のための折り畳み箱１に関する。これは、好ましくは、少なくとも１つの円環状の物１０である。
【００３６】
折り曲げ及び飾りのためにクリース（crease）加工を施された厚い板紙の実施形態を用いて（これらに限定されない）、本発明をより詳細に説明する。この実施形態は、経済的であり、堅固であり、魅力的である。また、本発明は、他の材料を使用して実現することもできる。例えば、皮革又は擬皮革、薄い木材、コーティングを施した布地、板状金属又はアルミニウムシート又は同様の材料によって形成された金属サンドイッチ化合物である。
【００３７】
この折り畳み箱１は、折り曲げ可能な素材片２を有する。この折り曲げ可能な素材片２は、少なくとも１つの包装帯３を有し、これは、長手方向Ｄに延び、かつベース面Ｐにおける平坦な折り曲げられていない状態と、及び折り曲げられた状態との間で変形可能とされる。包装帯３は、ベース３０の側辺に２つのフラップ３１、３２を有する。これはベース３０に対する角度を変えるように変形することができる。
【００３８】
本発明によれば、折り曲げ可能な素材片２は、さらに、単一片の折り畳み可能な構造４を有し、これは、ベース面Ｐに平行な平坦な折り畳まれた状態と、及び安定な折り畳まれていない状態の間を変形することができる。図面には、接合された突起を有する実施形態を示す。これらは、見えるものもあれば見えないものもある。接合領域は、点の網によって図面において表される。
【００３９】
この折り畳み可能な構造４は、ベース３０に恒久的に固定されたり又はベース３０を形成するベース面４０を有する。また、折り畳み可能な構造４は、少なくとも２つの支持面５１、５２を有し、これらは、折り畳み可能な構造４の折り畳まれていない状態において、それぞれ包装帯３のフラップ３１及び３２の１つに接して受けるように形成されている。
【００４０】
本発明によれば、折り畳み可能な構造４は、折りクリース（folding crease）４６のまわりで、平坦な折り畳まれた状態と、安定な折り畳まれていない状態との間で、折り畳まれるように変形することができ、折りクリース４６は、長手方向Ｄに対して傾斜している。この折りクリース４６は、ベース面４０の１つの縁を形成する。
【００４１】
好ましい一実施形態において、図面において見られるように、折り畳み可能な構造４は、好ましくは、他の面である偶数のビジュアル面５３、５０を有し、これらは、支持面５１、５２に隣接し支持面５１、５２と交差するように形成されており、折り畳み可能な構造４の折り畳まれていない状態における多角形の角柱を支持面５１、５２とともに形成する。これらのビジュアル面５３、５０は、折り畳み可能な構造４が平坦な折り畳まれた状態で、平行な２つの高さに折り畳むことができる閉じた帯を支持面５１、５２と共に形成している。
【００４２】
安定な折り畳まれていない状態において安定性を確実にするために、折り畳み可能な構造４は、複数の多角形の区画４０、４１、４２、４３を有する。これらはそれぞれ、支持面５１、５２の１つ又はビジュアル面５３、５４の１つに隣接している。
【００４３】
安定な折り畳まれていない状態では、これらの多角形の区画は互いに縁どうしが接合され、これは、折り目４６、４７によって又は縁４８、４９によって、構成材料の厚みによって互いが押しつけられることによって行われ、これによって、この多角形の区画は、ともに、多角形の表面を形成し、これは、折り畳み可能な構造４の折り畳まれていない状態における当該面によって形成された多角形の角柱の断面に対応する。
【００４４】
好都合なことに、これらの多角形の区画の１つは、ベース面４０であり、折り目の１つは、折りクリース４６である。
【００４５】
図示した好ましい実施形態（これに限定されない）では、この多角形の角柱は正方形の断面を有し、多角形の区画４０、４１、４２、４３は、小さな二等辺直角三角形の断面を有する互いに同一の角柱である。これらの小さな三角形それぞれの斜辺は、折り畳み可能な構造４の対応する面５０、５１、５２、５３の接合折り目５５、５６、５７、５８に対応する。
【００４６】
好ましい変形例において、図６〜１４に見られるように、多角形の区画４０、４１、４２、４３は、折り畳み可能な構造４の安定な折り畳まれていない状態において、対で、当該種類の折り目４６、４７によって接続され、表面が当該小さな三角形の２倍である大きな二等辺直角三角形の断面を有する角柱が１つずつ形成される。これらの大きな三角形を形成した２つは、折り畳まれていない状態における２つの縁４８、４９において互いに隣接している。このように、折り目４７によって連結された小さな三角形４０及び４１が当該種類の大きな三角形を形成することを理解できるであろう。これは、折り目４６によって連結される小さな三角形４２及び４３も同様である。縁４８、４９は、正四角柱の断面を形成する正方形の一方の対角線を形成し、これに対し、折り目４６、４７は、ともに、他方の対角線を形成する。小さな三角形は、接着結合、ヒンジ又は同様の方法によって互いに接合してもよく、小さな三角形は、適切な方法によって固定された大きな三角形を、空間において、当該三角形の境界を形成する２つの面へと折り曲げることによって作ることもできる。
【００４７】
図１２及び１３は、平坦な折り畳まれた状態から安定な折り畳まれていない状態への折り畳み可能な構造１４の組み立て時に、各縁４８、４９が２つの区分、すなわち、４８Ａ、４８Ｂと、４９Ｂ、４９Ａとによってそれぞれ形成され、これらの区分は、ともに、折り畳み可能な構造４の面５０、５１、５２、５３のすべてに垂直な図１３の平面への投影において、変形可能な長斜方形を形成する様子を示している。この長斜方形は、当該折り畳み可能な構造４が矢Ｆの方向に移動するとともに縮小し、この移動は、いくつかの回転が組み合わさった運動である。
【００４８】
このように、組み立て時における図１、９及び１１に示された折りクリース４６の位置合わせの際に、面５２及び５３の間の多角形の角柱のベースに位置していた点Ｐの位置が、図９に示された位置Ｐ０から位置Ｐ１へと変わる。また、組み立て時にも多角形の角柱が変化する。この際、長斜方形の断面がその長斜方形が正方形になるまで拡大する。この最終位置では、縁４８、４９によって形成される他方の変形可能な長斜方形は、互いに接する２つの平坦な線分に縮小する。
【００４９】
組み立て時には異なる角度的位置を占めていた異なる角柱４０、４１、４２、４３は、この時すべて同一平面上になり、特に、ベース３０の上に位置するベース面４０に対して同一平面になる。ここで、ベース面４０上に、当該４つの角柱が横たわり、良好な安定性で、材料の厚みによって互いが押しつけられる。ここで、箱１のベース３０が経る運動は、水平面に対して３０°未満の角度の範囲内に抑えられる。そうでなければ、箱１が空の場合、折り畳み可能な構造４の集合体は、折り畳み可能な構造４の裏返った折り畳み運動を行うことがある。箱に物１０が入れられているときは、いずれの不注意な折り畳み運動も、物１０の重心をベース３０の極めて近くにすることによって防ぐことができる。
【００５０】
図９〜１３に示された変形例は好ましい。なぜなら、図９で見られるように、平坦な格納状態において小型であるからである。ここにおいて、折り畳み可能な構造４が、ベース面Ｐに平行な平坦な折り畳まれた状態において、長手方向Ｄに平行な方向に延びる。好ましくは、正方形断面の角柱を用いる実施形態では、折りクリース４６が長手方向Ｄに対して４５°の角度をなしている。
【００５１】
当然、この角度は、折り畳まれていない折り畳み可能な構造４によって形成される多角形の角柱の断面の輪郭に依存する。例えば、図２６〜２８は、多角形の角柱が正六角形の断面を有し、かつ、ベース面４０が正三角形であるような実施形態を示す。折り畳み可能な構造４０は、６つの区分５４０、５４１、５４２、５４３、５４４、５４５を有し、これらはそれぞれ、表面４０、４１、４２、４３、４４、４５によって延び、長手方向Ｄに対して３０°傾いている。
【００５２】
有利なことに、多角形の角柱は、直方体の基礎構造を形成し、そのベースはベース３０によって形成され、包装帯３に備えられているフラップ３３によってカバーが形成される。この目的のために、好ましくは、折り畳み可能な構造４が有する面は、ともに、折り畳み可能な構造４の折り畳まれていない状態において、図１に示す一平面上の縁面４００を形成する。この縁面４００は、包装帯３のフラップ３３の支持体としてはたらくように構成する。
【００５３】
図面に示した実施形態において、包装帯３は、その長手方向Ｄにおける２つの端部に２つの閉じフラップ３１及び３４を有する。これらの閉じフラップ３１及び３４は、折り畳み可能な構造４が安定な折り畳まれていない状態にあり、包装帯３が折り畳み可能な構造４を囲む折り曲げられた状態にあるときに、一方が他方の上に重ね合わされるように動くように構成されている。閉じフラップ３１及び３４は、折り畳み可能な構造４が包まれる位置に包装帯３を保持する互いに相補的なロック手段６１及び６２を有する。
【００５４】
図１及び１１に示された第１の実施形態において、互いに相補的なロック手段６１及び６２は、閉じフラップ３１及び３４を形成する材料の厚さによって互いに保持され、そして、一方では、ほぞ穴状メンバー６３ないし切り込み部分を有し、他方では、ほぞ穴６３に対して相補的な輪郭を有するほぞ状メンバー６４を有する。これらの互いが相補的なロック手段６１及び６２は、有利な一変形例においては、プラスチック物質のような耐摩耗性の材料で作られた挿入部分の形態で作られてもよく、フラップ３１及び３４に挿入されたり埋め込まれたり、又はそれらに接合等される。折り曲げ可能な素材片２が厚紙のような材料で作られている場合、この構成は特に有利である。このような材料は、閉じ操作時の固定が繰り返されると、使用に対応して劣化する。
【００５５】
図１において、互いが相補的なロック手段６１及び６２は、形状を有する輪郭を有するものが具体的に示されており、この場合は、スイスクロスの形である。当然、長方形や円のようなより単純な形が使用されていてもよい。より複雑な輪郭も適切であることがある。唯一の制約は、繰り返される開き及び閉じ操作に関連しており、非常に尖った輪郭を有するロック手段を使用すると、時間を経るにしたがって鈍くなりがちであり、そのような輪郭は経験的に除外される。
【００５６】
第２の実施形態は、第１の実施形態と組み合わせてもよく、具体的には図１に見られるように、互いが相補的なロック手段６１及び６２は、少なくとも１つの磁石片６５を有し、これは、相補的な磁石片６６とで磁力が発生するように構成し、磁石片６５及びこれと相補的な磁石片６６の少なくとも１つは、磁性材によって形成されている。このように、永久磁石と、磁性を有する金属片とを反対側に配置、あるいは異なる極の２つの磁石を反対側に配置することもできる。
【００５７】
図９、１１及び１３による好ましい実施形態において、箱１に物１０を保持するために、折り畳み可能な構造４が有する２つの対向する面は、それぞれ折り畳み可能な構造４が安定な折り畳まれていない状態にある場合の低い面に突き出る少なくとも１つのクロス支持体９を有し、これは、当該種類の物１０を受けるためのクロスメンバー８を受けるように構成する。このように、このクロスメンバー８は安定な折り畳まれていない状態にある折り畳み可能な構造４の保持を強化するように、クロス支持体９を備えた面の内部空間と等しい長さを有する。
【００５８】
このクロスメンバー８は、いずれの付加的な梱包材の部分も要求せずに、直角に配置された箱１の幾何学的構成を維持することができる。クロスメンバー８は、さらに、構成材料の弾力性の影響を受けて箱１が不用意にへこむことを防ぐ。
【００５９】
図１５Ａは、内側へ突き出るクロスメンバー９を示しており、これは、クロスメンバー８を受けるための連続面９Ａを有する。図１５は、さらに、内側へ突き出るクロス支持体９を示し、これは、クロスメンバー８が指標付けのために切り込み部分８７を有する場合に、角度位置を指標付けする突起９Ｂを有する受け面９Ａを備えている。
【００６０】
図２９及び３０で見られるように、素材片８６を巻くことによって、経済的なクロスメンバーの実施形態を実現することができる。素材片８６は、巻き方向Ｒに整合するように、ここで半月形にて表されている切り込み部分８２から得られるタブ８１と、実質的に長方形又は台形状にて表された別の切り込み部分８４から得られる縁８３とを少なくとも有する。素材片８６はいくつかの一連の縁８４、８４Ａ、．．．を有することができ、これは、図３０の巻かれたクロスメンバー８の外径を、クロスメンバーに支持される物１０（具体的には、腕時計）の内径へと調整することを可能にする。例えば、子どもの腕時計、婦人用腕時計、又は男性の腕時計に対して異なるセッティングが提供される。安定性を改善するために、図示するように、素材片は、方向Ｒに平行ないくつのタブ及び縁の群を設けることができる。図面においては、このような２つの群がある。巻かれたクロスメンバー８は支持面８５を定め、これは、図１５Ａで見られるように、受け面９Ａと連係する。素材片８６は、図１５の場合において、突起９Ｂと連係するための周辺部の切り込み部分８７を有することができる。
【００６１】
この素材片８６は、箱１のように、クロスメンバー／クッションとしての使用のために、所望の外観及びコストにしたがって、以下のような様々な材料で作ることができる。すなわち、厚紙、木材、皮革、可撓性を有する柔軟なプラスチック物質、又は腕時計又は宝石片の直径に適合する曲率半径を有する任意に巻くことが可能な材料である。
【００６２】
さらにまた、図１７及び１８に示すように、２つの対向する面において９１と９２の番号を付与されているこれらのクロス支持体９に対して、フレキシブルアーム９５を設けることができ、図１７における少なくとも１つのクロス支持体９、９２は、フレキシブルアーム９５の分岐部分９７の一端９８と連係するように構成するストップ面９４を有し、これは、分岐部分９６によって、クロスメンバー９２を備えた面に対向する面９１に備えられる固定表面９３に固定され、これによって、折り畳み可能な構造４の安定な折り畳まれていない状態における対向する面の間の支え位置にフレキシブルアーム９５が保持され、面が互いに近づくように動くことを防ぐ。好ましくは、クロスメンバー９２によって形成される突き出る隆起によってストップ面９４が定められるように、クロス支持体９１によって形成された突き出る隆起によって固定表面９３が定められる。
【００６３】
変形例において、図１６で見られるように、折り畳み可能な構造４が有する２つの対向する面は、折り畳み可能な構造４が安定な折り畳まれていない状態にあるときにアライメント合わせをされ、クロスメンバー８を収容する少なくとも１つの切り込み部分９９をそれぞれ有し、物１０を受けるためのクロスメンバー８を受けるように構成し、クロスメンバー８は、クロスメンバーを収容する切り込み部分９９を備えた面の外側空間の距離以上の長さを有する。
【００６４】
好ましくは、そして、有利なことに、包装帯３及び単一片の折り畳み可能な構造４は、折り曲げ可能及び／又は巻き可能な厚紙で作られており、折り曲げ可能な素材片２は、ベース面４０及びベース３０で折り畳み可能な構造４を包装帯へと接着結合等することによって得られ、また、折り目にクリース加工が施される。
【００６５】
このように、箱１の厚紙の一実施形態は、非常に経済的な生産を提供し、かつ様々な装飾を可能にしている。また、クロスメンバー８は、それぞれ厚紙又は成形された材料によって作ることができ、例えば、ポリウレタンフォームや他の高分子発泡体、ゴム、木材、又は他の材料で作ることができる。
【００６６】
また、折り曲げ可能な素材片２は、さらに、包装される部分１０の特徴や形態に依存して、皮革のような貴重な材料、又はゴムや何らかのプラスチック物質のような材料、又は木材によって作ることができる。当然、包装帯３及び折り畳み可能な構造４は、異なる材料で作られていてもよい。これによって、多様なモデルが可能になる。
【図１】
0005947396.tif 000002
【図２】
0005947396.tif 000003
【図３】
0005947396.tif 000004
【図４】
0005947396.tif 000005
【図５】
0005947396.tif 000006
【図６】
0005947396.tif 000007
【図７】
0005947396.tif 000008
【図８】
0005947396.tif 000009
【図９−１０】
0005947396.tif 000010
【図１１】
0005947396.tif 000011
【図１２】
0005947396.tif 000012
【図１３】
0005947396.tif 000013
【図１４】
0005947396.tif 000014
【図１５】
0005947396.tif 000015
【図１５Ａ】
0005947396.tif 000016
【図１６】
0005947396.tif 000017
【図１７】
0005947396.tif 000018
【図１８】
0005947396.tif 000019
【図１９．２１】
0005947396.tif 000020
【図２０】
0005947396.tif 000021
【図２２】
0005947396.tif 000022
【図２３】
0005947396.tif 000023
【図２４】
0005947396.tif 000024
【図２５】
0005947396.tif 000025
【図２６】
0005947396.tif 000026
【図２７】
0005947396.tif 000027
【図２８】
0005947396.tif 000028
【図２９】
0005947396.tif 000029
【図３０】
0005947396.tif 000030